(57)【特許請求の範囲】
【請求項１】
被験者の体脂肪に関する診断指標を取得する診断指標取得装置であって、
前記被験者の腹部領域中の２つ以上の断面を示す断面画像それぞれについて、前記腹部領域中の皮下脂肪領域の大きさ、および内臓脂肪領域の大きさを求める手段と、
前記２つ以上の断面画像における皮下脂肪領域の大きさの平均値、および内臓脂肪領域の大きさの平均値を組み合わせて前記被験者の体脂肪に関する１つの診断指標を算出する手段とを備えたことを特徴とする診断指標取得装置。
【請求項２】
前記診断指標を算出する手段が、前記被験者に関する前記平均値と予め求めておいた人体モデルに関する該平均値とを比較して前記診断指標を取得するものであることを特徴とする請求項１記載の診断指標取得装置。
【請求項３】
前記腹部領域中の皮下脂肪領域の大きさ、および内臓脂肪領域の大きさが、前記腹部領域の大きさに対する該腹部領域中の前記皮下脂肪領域の大きさの比率、および前記内臓脂肪領域の大きさの比率であることを特徴とする請求項１または２記載の診断指標取得装置。
【請求項４】
前記断面画像が、複数回に亘って時系列的に取得されるものであり、
前記診断指標が、前記肥満の状態の経時変化を示すものであることを特徴とする請求項１から３のいずれか１項記載の診断指標取得装置。
【請求項５】
前記断面画像が、前記被験者のへそを通り身長方向に対して直交する断面よりも頭部側の断面を示す断面画像と、前記へそを通る断面よりも脚部側の断面を示す断面画像とを含むものであることを特徴とする請求項１から４のいずれか１項記載の診断指標取得装置。
【請求項６】
前記被験者の腹部領域中の各断面が、該被験者の身長方向に対して直交する断面であることを特徴とする請求項１から５のいずれか１項記載の診断指標取得装置。
【発明の詳細な説明】
【技術分野】
【０００１】
本発明は診断指標取得方法に関し、詳しくは、被験者の腹部領域の断面画像から被験者の肥満の状態を示す診断指標を得る診断指標取得方法に関するものである。
【背景技術】
【０００２】
従来より、体重に占める体脂肪の重さの割合を示す体脂肪率を測定する種々の方式が知られている。上記体脂肪率を求める方式としては、例えば、人体の水中での体重と陸上での体重との違いを測定して得られた体密度から体脂肪率を推定する方式や、人体に微小電流を流したときの電気抵抗が体脂肪の量に応じて変化することを利用して体脂肪率を推定するインピーダンス法等が知られている。なお、体脂肪は、内臓脂肪と皮下脂肪とを合わせたものであり人体を構成する脂肪の総称である。
【０００３】
また、体脂肪の一部である内臓脂肪の人体に占める比率を推定する方式も知られている（特許文献１参照）。この方式は、Ｘ線ＣＴを用いた人体の断層撮影により、内臓脂肪を示す領域の境界を明確に識別できるようにした断面画像を得、この断面画像中の内臓脂肪を示す領域の面積と他の領域の面積とから人体に占める内臓脂肪の比率を求めて内臓脂肪率を推定するものである。上記方式は、人体のへそを通る１枚の断面画像から内臓脂肪率を推定するものである。
【０００４】
また、被験者の腹部領域中の１断面を示す1枚の断面画像からこの被験者の内臓脂肪や皮下脂肪を示す領域の面積を求めて被験者の肥満の状態を示す診断情報を得るような手法も知られている（特許文献２参照）。
【０００５】
このように、体脂肪率、内臓脂肪率、および皮下脂肪率等は、直接測定することが困難なので、間接的に得られた種々の測定データから推定して求めている。
【特許文献１】特開２００４−２５４９３３号公報
【特許文献２】特開２００２−１９１５６３号公報
【発明の開示】
【発明が解決しようとする課題】
【０００６】
ところで、被験者の腹部領域中の１断面と内臓との位置関係、あるいはこの１断面と体脂肪が堆積しやすい部位との位置関係には個人差がある。そのため、へそを通る１断面を示す断面画像から得られた診断指標であっても、特定の被験者について求められた診断指標と、本来、この被験者と同様の診断指標が得られるはずの他の被験者について求められた診断指標とが一致しないことがあり、そのような被験者毎の身体構造の違い等から生じる診断指標の食い違いを抑制したいという要請がある。
【０００７】
本発明は、上記事情に鑑みてなされたものであり、被験者の肥満の状態を示す診断指標の信頼性を高めることができる診断指標取得方法を提供することを目的とするものである。
【課題を解決するための手段】
【０００８】
本発明の診断指標取得方法は、被験者の体脂肪に関する診断指標を取得する診断指標取得方法であって、被験者の腹部領域中の２つ以上の断面を示す断面画像を用意し、各断面画像について、腹部領域に対するこの腹部領域中の皮下脂肪領域および／または内臓脂肪領域の大きさの比率を求め、被験者に関するその比率と予め求めておいた人体モデルについてのその比率とを比較して、被験者の肥満の状態を示す診断指標を得ることを特徴とするものである。
本発明の診断指標取得装置は、被験者の体脂肪に関する診断指標を取得する診断指標取得装置であって、被験者の腹部領域中の２つ以上の断面を示す断面画像それぞれについて、腹部領域中の皮下脂肪領域および／または内臓脂肪領域の大きさを求める手段と、２つ以上の断面画像における皮下脂肪領域および／または内臓脂肪領域の大きさの平均値を組み合わせて被験者の体脂肪に関する１つの診断指標を算出する手段とを備えたことを特徴とするものである。
前記診断指標を算出する手段は、被験者に関する前記平均値と予め求めておいた人体モデルに関するその平均値とを比較して診断指標を取得するものとすることができる。
前記腹部領域中の皮下脂肪領域および／または内臓脂肪領域の大きさは、腹部領域の大きさに対するこの腹部領域中の皮下脂肪領域および／または内臓脂肪領域の大きさの比率とすることができる。
【０００９】
なお、前記被験者に関する比率と前記予め求めておいた人体モデルについての比率とは互に対応するものである。例えば、被験者に関する比率が、被験者の腹部領域に対するこの腹部領域中の皮下脂肪領域および内臓脂肪領域の大きさの比率であるときには、人体モデルについての比率は、人体モデルの腹部領域に対するこの腹部領域中の皮下脂肪領域および内臓脂肪領域の大きさの比率となる。
【００１０】
前記断面画像は、複数回に亘って時系列的に取得されるものとすることができ、前記診断指標は、肥満の状態の経時変化を示すものとすることができる。
【００１１】
前記断面画像は、被験者のへそを通り身長方向に対して直交する断面よりも頭部側の断面を示す断面画像と、このへそを通る断面よりも脚部側の断面を示す断面画像とを含むものとすることが望ましい。
【００１２】
前記被験者の腹部領域中の各断面は、被験者の身長方向に対して直交する断面としたり、被験者の身長方向に対して傾斜した断面とすることができる。
【００１３】
また、被検者の腹部領域は、この被検者の肝臓上部辺縁、横隔膜下部、脊椎の椎間のうちのいずれかを通り被検者の身長方向に対して直交する断面と、腸骨上部、腸骨下部、仙骨下部のうちのいずれかを通り被検者の身長方向に対して直交する断面との間の領域とすることができる。
【発明の効果】
【００１４】
本発明の診断指標取得方法によれば、被験者の腹部領域中の２つ以上の断面を示す断面画像について、腹部領域に対するこの腹部領域中の皮下脂肪領域および／または内臓脂肪領域の大きさの比率を求め、被験者に関して求められたその比率と、予め求めておいた人体モデルについてのその比率とを比較して、被験者の肥満の状態を示す診断指標を得るようにしたので、被験者の肥満の状態を示す診断指標の信頼性を高めることができる。
【００１５】
すなわち、被験者の腹部領域を通る互に異なる２種類以上の各断面を示す断面画像から皮下脂肪領域や内臓脂肪領域の大きさの比率を求めるので、１断面を示す断面画像から上記比率を得る場合に比して、診断指標を得るために使用する断面画像のサンプリング数を増大させることができ、求められた上記比率についてサンプリング数増大による平均化の効果を得ることができる。そのため、個人差による脂肪の付き方や臓器位置の違いによるこの比率の変動を低減でき、被験者毎の身体構造の違いから生じる診断指標の食い違い等を抑制することができる。これにより、被験者の肥満の状態を示す診断指標の信頼性を高めることができる。
【００１６】
また、断面画像を複数回に亘って時系列的に取得されるものとし、診断指標を肥満の状態の経時変化を示すものとすれば、被験者の肥満の状態を示すより多くの情報から診断指標を求めることができるので、被験者の肥満の状態を示す診断指標の信頼性をさらに高めることができる。
【００１７】
また、断面画像を、被験者のへそを通り身長方向に対して直交する断面よりも頭部側の断面を示す断面画像と、へそを通る断面よりも脚部側の断面を示す断面画像とを含むものとすれば、使用する断面画像のサンプリング位置の偏りを少なくすることができ、個人差による脂肪の付き方や臓器位置の違いの影響を受け難くすることができるので、被験者毎の身体構造の違いによって生じる診断指標の食い違いを抑制できる。これにより、被験者の肥満の状態を示す診断指標の信頼性をさらに高めることができる。
【発明を実施するための最良の形態】
【００１８】
以下、本発明の実施の形態による診断指標取得方法について説明する。
【００１９】
はじめに、実施例１について以下に説明する。図１は被験者および人体モデルにおける断面画像の取得位置を示す図、図２は互に異なる断面における各断面画像を示す図、図３は断面画像から被験者の肥満の状態を示す診断指標を得るまでのフローチャートの前半を示す図、図４は断面画像から被験者の肥満の状態を示す診断指標を得るまでのフローチャートの後半を示す図である。
【００２０】
本発明の診断指標取得方法を実施する図示の実施例１は、被験者の体脂肪に関する診断指標（以下単に指標ともいう）を取得する診断指標取得方法であって、被験者の腹部領域中の２つ以上の断面を示す断面画像を用意し、各断面画像について、腹部領域に対するこの腹部領域中の皮下脂肪領域および内臓脂肪領域の大きさの比率を求め、被験者に関する上記比率と、予め求めておいた人体モデルについての上記比率とを比較して、被験者の肥満の状態を示す指標を得るものである。
【００２１】
図１、図２に示すように、はじめに、被検者Ｈの腹部領域Ｈｂ中の３つの断面Ｈ１〜Ｈ３を示す断面画像Ｇ１〜Ｇ３を用意する。
【００２２】
ここで、上記断面画像Ｇ１〜Ｇ３は、Ｘ線ＣＴによる断層撮影で得られたものとすることができる。
【００２３】
図２、図３に示すように各断面画像Ｇ１〜Ｇ３について、腹部領域Ｈｂの大きさを示す各面積Ｓａ１〜Ｓａ３に対するこの腹部領域Ｈｂ中の皮下脂肪領域Ｆｐの大きさを示す面積Ｓｐ１〜Ｓｐ３それぞれの比率である皮下脂肪領域比率の値Ｈｐ１〜Ｈｐ３を求める。ここで、Ｈｐ１＝Ｓｐ１／Ｓａ１、Ｈｐ２＝Ｓｐ２／Ｓａ２、Ｈｐ３＝Ｓｐ３／Ｓａ３とする。
【００２４】
次に、皮下脂肪領域比率の値Ｈｐ１、Ｈｐ２、Ｈｐ３の平均値Ｈｍｐを求める。なお、平均値Ｈｍｐは、Ｈｍｐ＝（Ｈｐ１＋Ｈｐ２＋Ｈｐ３）／３の式で表すことができる。
【００２５】
また、図２、図３に示すように各断面画像Ｇ１〜Ｇ３について、腹部領域Ｈｂの大きさを示す面積Ｓａ１〜Ｓａ３に対するこの腹部領域Ｈｂ中の内臓脂肪領域Ｆｏの大きさを示す面積Ｓｏ１〜Ｓｏ３それぞれの比率である内臓脂肪領域比率の値Ｈｏ１〜Ｈｏ３を求める。ここで、Ｈｏ１＝Ｓｏ１／Ｓａ１、Ｈｏ２＝Ｓｏ２／Ｓａ２、Ｈｏ３＝Ｓｏ３／Ｓａ３とする。つづいて、内臓脂肪領域比率の値Ｈｏ１、Ｈｏ２、Ｈｏ３の平均値Ｈｍｏを求める。ここで、平均値Ｈｍｏは、Ｈｍｏ＝（Ｈｏ１＋Ｈｏ２＋Ｈｏ３）／３の式で表すことができる。
【００２６】
なお、上記皮下脂肪領域比率の値Ｈｐ１〜Ｈｐ３や内臓脂肪領域比率の値Ｈｏ１〜Ｈｏ３は、各断面画像について、皮下脂肪領の大きさや内臓脂肪領域の大きさを規格化して得られた値である。すなわち、各断面画像毎に、皮下脂肪領の大きさや内臓脂肪領域の大きさを腹部領域の大きさで除算して得た値である。この規格化された皮下脂肪領域比率の値や内臓脂肪領域比率の値は、０以上かつ１以下の値となる。
【００２７】
また、皮下脂肪領域比率の平均値Ｈｍｐや内臓脂肪領域比率の平均値Ｈｍｏの値も、上記と同様に、皮下脂肪領域の大きさや内臓脂肪領域の大きさを規格化して得られた値である。したがって、皮下脂肪領域比率の平均値Ｈｍｐや内臓脂肪領域比率の平均値Ｈｍｏの値も、０以上かつ１以下の値となる。
【００２８】
ここで、皮下脂肪領域比率の平均値Ｈｍｐは、腹部領域中の互に異なる３つの断面を示す断面画像をサンプリングして得られた値なので、腹部領域全体の体積に対するこの腹部領域中の皮下脂肪領域全体の体積の比率（体積比率）を近似した値とみなすことができる。
【００２９】
すなわち、腹部領域中の皮下脂肪領域や内臓脂肪領域の偏在等によって上記比率が特異な値となることを防ぐことができる。すなわち、サンプリング数の増大による平均化の効果を得ることができる。これにより、複数の断面を示す断面画像を用いて求めた上記皮下脂肪領域比率や内臓脂肪領域比率の平均値の変動は、１断面を示す断面画像を用いて求めた皮下脂肪領域比率や内臓脂肪領域比率の値の変動に比して少なくなる。
【００３０】
つづいて、皮下脂肪領域比率の平均値Ｈｍｐと内臓脂肪領域比率の平均値Ｈｍｏとを加算して、体脂肪領域比率Ｈｍｂ（ここで、Ｈｍｂ＝Ｈｍｐ＋Ｈｍｏ）を求める。この体脂肪領域比率Ｈｍｂは、断面画像Ｇ１〜Ｇ３についての、腹部領域の大きさに対するこの腹部領域中の皮下脂肪領域および内臓脂肪領域の大きさの比率である。すなわち腹部領域の大きさに対する、この腹部領域中の皮下脂肪領域と内臓脂肪領域とを加えてなる大きさの比率を示している。
【００３１】
なお、体脂肪領域は、内臓脂肪領域と皮下脂肪領域とを合わせた領域である。
【００３２】
次に、図４に示すように、被検者Ｈについての体脂肪領域比率Ｈｍｂと、この体脂肪領域比率Ｈｍｂに対応する人体モデルＭについての体脂肪領域比率のＭｍｂとを比較して被験者Ｈの肥満の状態を示す指標を得る。
【００３３】
人体モデルＭについての体脂肪領域比率Ｍｍｂは、人体モデルＭの腹部領域の大きさに対するこの腹部領域中の皮下脂肪領域および内臓脂肪領域の大きさの比率を示すものである。
【００３４】
なお、ここでは、人体モデルは、腹部領域、皮下脂肪領域および内臓脂肪領域の大きさや分布状態が標準的な人体を示すものとするが、この人体モデルは、肥満状態の人体を示すものであってもよい。
【００３５】
なお、人体モデルＭの体脂肪領域比率Ｍｍｂの値は、被検者Ｈにおける３つの断面Ｈ１〜Ｈ３に対応する人体モデルＭにおける３つの断面Ｍ１〜Ｍ３を示す断面画像を用いて取得することができる。すなわち、断面Ｍ１〜Ｍ３を示す断面画像に対し、上記被検者Ｈの体脂肪領域比率Ｈｍｂを求めた場合と同様の手法を適用して、人体モデルＭの体脂肪領域比率Ｍｍｂの値を取得することができる。
【００３６】
また、被検者Ｈについて求めた体脂肪領域比率の平均値Ｈｍｂが、上記のように被験者Ｈの腹部領域Ｈｂ全体の体積に対するこの腹部領域Ｈｂ中の体脂肪領域Ｆｓ全体の体積の比率（体積比率）の近似値と見なせるので、人体モデルＭの体脂肪領域比率の値として体積比率を採用してもよい。すなわち、人体モデルＭの体脂肪領域比率の値として、この人体モデルＭの腹部領域Ｍｂ全体の体積に対するこの腹部領域Ｍｂ中の体脂肪領域全体の体積の比率（体積比率）を採用してもよい。この比率（体積比率）は断面画像の取得位置の影響を受けることなくこの人体モデルＭについて不変の値である。
【００３７】
ここで、被験者Ｈの肥満の状態を示す指標について説明する。この指標は、例えば、レベル３：要注意、レベル２：注意、レベル１：正常の３段階に分類される。このレベル１〜３の指標は、被検者Ｈについての体脂肪領域比率Ｈｍｂと人体モデルＭについての体脂肪領域比率Ｍｍｂとを比較した結果に対応付けられている。
【００３８】
上記被検者Ｈの体脂肪領域比率Ｈｍｂと人体モデルＭの体脂肪領域比率Ｍｍｂとを比較した結果である体脂肪比較結果値Ｊｂは、以下のようにして得ることができる。
【００３９】
すなわち、被験者Ｈの体脂肪領域比率Ｈｍｂを人体モデルＭの体脂肪領域比率Ｍｍｂで除算して体脂肪領域の比較結果を示す値Ｊｂを得る。この体脂肪比較結果値Ｊｂは、体脂肪比較結果値Ｊｂ＝被験者Ｈの体脂肪領域比率Ｈｍｂ／人体モデルＭの体脂肪領域比率Ｍｍｂの式で表されるものである。なお、体脂肪比較結果値Ｊｂの値が１の場合には被験者Ｈと人体モデルＭの体脂肪領域比率が一致していることを表しており、この値が大きいほど被験者Ｈの腹部領域Ｈｂ中に占める体脂肪領域Ｆｓの割合が人体モデルＭのその割合より大きいことを表している。
【００４０】
ここで、体脂肪比較結果値Ｊｂとレベル１〜３の指標とは、例えば以下のように対応付けられている。
【００４１】
レベル１（正常）の指標は、０．５＜体脂肪比較結果値Ｊｂ≦１．５の範囲に対応する。
【００４２】
レベル２（注意）の指標は、０．３＜体脂肪比較結果値Ｊｂ≦０．５、または１．５＜体脂肪比較結果値Ｊｂ≦２．５の範囲に対応する。
【００４３】
レベル３（要注意）の指標は、体脂肪比較結果値Ｊｂ≦０．３、または２．５＜体脂肪比較結果値Ｊｂの範囲に対応する。
【００４４】
したがって、被検者Ｈと人体モデルＭの体脂肪領域比率の比較により得た体脂肪比較結果値Ｊｂと、この体脂肪比較結果値Ｊｂと上記指標との対応関係とから、被験者の肥満の状態を示す指標を得ることができる。
【００４５】
例えば、体脂肪結果比較値Ｊｂが１．７のときには、その指標はレベル２（注意）となる。
【００４６】
以下、実施例２について図５を参照して説明する、図５は、被験者Ｈの内臓脂肪領域Ｆｏの大きさからこの被験者Ｈの肥満の状態を示す指標を得るフローチャートを示す図である。
【００４７】
実施例２は、用意した被験者の腹部領域中の２つ以上の断面を示す断面画像を用い、各断面画像について、規格化された内臓脂肪領域の大きさを求め、被験者に関して求められた規格化された内臓脂肪領域の大きさと、予め求めておいた人体モデルについての規格化された内臓脂肪領域の大きさとを比較して、被験者の肥満の状態を示す指標を得るものである。なお、上記規格化された内臓脂肪領域の大きさは、例えば、腹部領域の大きさに対するこの腹部領域中の内臓脂肪領域の大きさの比率とすることができる。
【００４８】
なお、実施例２における規格化された内臓脂肪領域の大きさから被験者の肥満の状態を示す指標を得る方式は、実施例１の手法に適用することができる。
【００４９】
はじめに、上記実施例１と同様の手法により、被検者Ｈの内臓脂肪領域比率の平均値Ｈｍｏを求める。
【００５０】
以下、上記被検者Ｈの内臓脂肪領域比率の平均値Ｈｍｏを用い、この内臓脂肪領域比率の平均値Ｈｍｏと、その内臓脂肪領域比率の平均値Ｈｍｏに対応する予め定めておいた人体モデルＭについての内臓脂肪領域比率Ｍｍｏとを比較して被験者Ｈの肥満の状態を示す指標を得る場合について説明する。
【００５１】
なお、人体モデルＭについての規格化された内臓脂肪領域の大きさは、人体モデルＭの腹部領域の大きさに対するこの腹部領域中の内臓脂肪領域の大きさの比率すなわち、内臓脂肪領域比率とすることができる。
【００５２】
上記被検者Ｈの内臓脂肪領域比率の平均値Ｈｍｏは、上記実施例１の場合と同様に、腹部領域中の互に異なる３つの断面を示す断面画像から得られた値なので、腹部領域全体の体積に対するこの腹部領域中の内臓脂肪領域全体の体積の比率を近似した値を示すものとみなすことができる。
【００５３】
人体モデルＭについての内臓脂肪領域比率Ｍｍｏの値は、被検者Ｈの腹部領域Ｈｂ中の３つの断面Ｈ１〜Ｈ３に対応する人体モデルＭの腹部領域Ｍｂ中の３つの断面Ｍ１〜Ｍ３を示す断面画像に対して、上記被検者Ｈの内臓脂肪領域Ｈｍｏを求めた場合と同様の手法を適用して取得することができる。
【００５４】
また、被検者Ｈについて求めた内臓脂肪領域比率の平均値Ｍｍｏは、上記のように被験者Ｈの腹部領域Ｈｂ全体の体積に対するこの腹部領域Ｈｂ中の内臓脂肪領域Ｆｏ全体の体積の比率の近似値と見なせるので、人体モデルＭの体脂肪領域比率の値として体積比率を採用してもよい。すなわち、人体モデルＭの内臓脂肪領域比率Ｍｍｏの値として、この人体モデルＭの腹部領域Ｍｂ全体の体積に対するこの腹部領域Ｍｂ中の内臓脂肪領域全体の体積の比率（体積比率）を採用してもよい。この比率（体積比率）は、断面画像の取得位置の影響を受けないのでこの人体モデルＭについて不変の値である。
【００５５】
ここで、被験者Ｈの肥満の状態を示す指標について説明する。この指標は、例えば、レベル３：要注意、レベル２：注意、レベル１：正常の３段階に分類される。このレベル１〜３の指標は、被検者Ｈについての内臓脂肪領域比率Ｈｍｏと人体モデルＭについての内臓脂肪領域比率Ｍｍｏとを比較した結果に対応付けられている。
【００５６】
上記被験者Ｈの内臓脂肪領域比率Ｈｍｏと人体モデルＭの内臓脂肪領域比率Ｍｍｏとを比較した結果である内臓脂肪比較結果値Ｊｏは、以下のようにして得ることができる。
【００５７】
すなわち、被験者Ｈの内臓脂肪領域比率の平均値Ｈｍｏを人体モデルＭの内臓脂肪領域比率Ｍｍｏで除算して内臓脂肪比較結果を示す値Ｊｏを得る。この内臓脂肪比較結果値Ｊｏは、内臓脂肪比較結果値Ｊｏ＝内臓脂肪領域比率の平均値Ｈｍｏ／内臓脂肪領域比率Ｍｍｏの式で表されるものである。なお、比較結果値Ｊｏの値が１の場合には被験者Ｈと人体モデルＭの内臓脂肪領域比率が一致していることを表しており、この値が大きいほど被験者Ｈの腹部領域Ｈｂ中に占める内臓脂肪領域Ｆｏの割合が大きいことを表している。
【００５８】
ここで、内臓脂肪比較結果値Ｊｏと指標であるレベル１〜３とは、例えば以下のように対応付けられている。
【００５９】
レベル１（正常）は、０．６＜内臓脂肪比較結果値Ｊｏ≦１．４の範囲に対応する。
【００６０】
レベル２（注意）は、０．４＜内臓脂肪比較結果値Ｊｏ≦０．６、または１．４＜内臓脂肪比較結果値Ｊｏ≦２．０の範囲に対応する。
【００６１】
レベル３（要注意）は、内臓脂肪比較結果値Ｊｏ≦０．４、または２．０＜内臓脂肪比較結果値Ｊｏの範囲に対応する。
【００６２】
したがって、被検者Ｈと人体モデルＭとの内臓脂肪領域比率の比較により得た内臓脂肪比較結果値Ｊｏと、この内臓脂肪比較結果値Ｊｏと上記指標との対応関係とから、被験者の肥満の状態を示す指標を得ることができる。
【００６３】
例えば、被験者Ｈについて内臓脂肪結果比較値Ｊが１．３のときには、その指標はレベル１（正常）となる。
【００６４】
以下、実施例３について説明する、図６は、被験者Ｈの皮下脂肪領域Ｆｐの大きさからこの被験者Ｈの肥満の状態を示す指標を得るフローチャートを示す図である。
【００６５】
この実施例３は、用意した被験者の腹部領域中の２つ以上の断面を示す断面画像を用い、各断面画像について、規格化された皮下脂肪領域の大きさを求め、被験者に関して求められた規格化された皮下脂肪領域の大きさと、予め求めておいた人体モデルについての規格化された皮下脂肪領域の大きさとを比較して、被験者の肥満の状態を示す指標を得るものである。例えば、規格化された皮下脂肪領域の大きさは、腹部領域の大きさに対するこの腹部領域中の皮下脂肪領域の大きさの比率とすることができる。
【００６６】
なお、実施例３における規格化された皮下脂肪領域の大きさから肥満の状態を示す指標を得る方式は、実施例１の手法に適用することができる。
【００６７】
はじめに、上記実施例１と同様の手法により、被検者Ｈの皮下脂肪領域比率の平均値Ｈｍｐを求める。
【００６８】
以下、被検者Ｈの皮下脂肪領域比率の平均値Ｈｍｐを用い、この皮下脂肪領域比率の平均値Ｈｍｐと、その皮下脂肪領域比率の平均値Ｈｍｐに対応する予め定めておいた人体モデルＭについての皮下脂肪領域比率Ｍｍｐとを比較して被験者Ｈの肥満の状態を示す指標を得る場合について説明する。
【００６９】
なお、人体モデルＭについての皮下脂肪領域比率Ｍｍｐは、人体モデルＭの腹部領域の大きさに対するこの腹部領域中の皮下脂肪領域の大きさの比率を示すものである。
【００７０】
上記皮下脂肪領域比率の平均値Ｈｍｐは、腹部領域中の互に異なる３つの断面を示す断面画像から得られた値なので、腹部領域全体の体積に対するこの腹部領域中の皮下脂肪領域全体の体積の比率を近似した値を示すものとみなすことができる。
【００７１】
人体モデルＭについての皮下脂肪領域比率Ｍｍｐの値は、被検者Ｈの腹部領域Ｈｂ中の３つの断面Ｈ１〜Ｈ３に対応する人体モデルＭの腹部領域Ｍｂ中の３つの断面Ｍ１〜Ｍ３を示す断面画像に対して、上記被検者Ｈの皮下脂肪領域Ｈｍｐを求めた場合と同様の手法を適用して取得することができる。
【００７２】
また、被検者Ｈについて求めた皮下脂肪領域比率の平均値Ｍｍｐは、上記と同様に被験者Ｈの腹部領域Ｈｂ全体の体積に対するこの腹部領域Ｈｂ中の皮下脂肪領域Ｆｐ全体の体積の比率の近似値と見なせるので、人体モデルＭの体脂肪領域比率の値として体積比率を採用してもよい。すなわち、人体モデルＭの皮下脂肪領域比率Ｍｍｐの値として、この人体モデルＭの腹部領域Ｍｂ全体の体積に対するこの腹部領域Ｍｂ中の皮下脂肪領域全体の体積の比率（体積比率）を採用してもよい。この比率（体積比率）は、断面画像の取得位置の影響を受けないのでこの人体モデルＭについて不変な値である。
【００７３】
ここで、被験者Ｈの肥満の状態を示す指標について説明する。この指標は、例えば、レベル３：要注意、レベル２：注意、レベル１：正常の３段階に分類される。このレベル１〜３の指標は、被検者Ｈについての皮下脂肪領域比率の平均値Ｈｍｐと人体モデルＭについての皮下脂肪領域比率Ｍｍｐとを比較した結果に対応付けられている。
【００７４】
上記被検者Ｈの皮下脂肪領域比率の平均値Ｈｍｐと人体モデルＭの皮下脂肪領域比率Ｍｍｐとを比較した結果である皮下脂肪比較結果値Ｊｐは、以下のようにして得ることができる。
【００７５】
すなわち、被験者Ｈの皮下脂肪領域比率の平均値Ｈｍｐを人体モデルＭの皮下脂肪領域比率Ｍｍｐで除算して比較結果を示す値Ｊｐを得る。この皮下脂肪比較結果値Ｊｐは、皮下脂肪比較結果値Ｊｐ＝皮下脂肪領域比率の平均値Ｈｍｐ／皮下脂肪領域比率Ｍｍｐの式で表されるものである。なお、比較結果値Ｊｐの値が１の場合には被験者Ｈと人体モデルＭの皮下脂肪領域比率が一致していることを表しており、この値が大きいほど被験者Ｈの腹部領域Ｈｂ中に占める皮下脂肪領域Ｆｐの割合が大きいことを表している。
【００７６】
ここで、皮下脂肪比較結果値Ｊｐと指標であるレベル１〜３とは、例えば以下のように対応付けられている。
【００７７】
レベル１（正常）の指標は、０．７＜皮下脂肪比較結果値Ｊｐ≦１．５の範囲に対応する。
【００７８】
レベル２（注意）の指標は、０．３＜皮下脂肪比較結果値Ｊｐ≦０．７、または１．５＜皮下脂肪比較結果値Ｊｐ≦２．２の範囲に対応する。
【００７９】
レベル３（要注意）の指標は、皮下脂肪比較結果値Ｊｐ≦０．３、または２．２＜皮下脂肪比較結果値Ｊｐの範囲に対応する。
【００８０】
したがって、被検者Ｈと人体モデルＭとの皮下脂肪領域比率の比較により得た皮下脂肪比較結果値Ｊｐと、この皮下脂肪比較結果値Ｊｐと上記指標との対応関係とから、被験者の肥満の状態を示す指標を得ることができる。
【００８１】
例えば、被験者Ｈについて皮下脂肪結果比較値Ｊが２．５のときには、その指標はレベル３（要注意）となる。
【００８２】
以下、実施例４について図７を参照して説明する。図７は、被験者Ｈの皮下脂肪領域Ｆｐおよび内臓脂肪領域Ｆｏの大きさからこの被験者Ｈの肥満の状態を示す指標を得るフローチャートを示す図である。
【００８３】
この実施例４は、用意した被験者の腹部領域中の２つ以上の断面を示す断面画像を用い、各断面画像について、腹部領域に対するこの腹部領域中の皮下脂肪領域および内臓脂肪領域の大きさの比率を求め、被験者に関する上記比率と、予め求めておいた人体モデルについての上記比率とを比較して、被験者の肥満の状態を示す指標を得る、実施例１と同様の診断指標取得方法の１例である。
【００８４】
実施例４では、断面画像が、腹部領域の略中央を通り身長方向（図中矢印Ｚ方向）に対して直交する断面よりも頭部側の断面を示す断面画像と、腹部領域の略中央を通る断面よりも脚部側の断面を示す断面画像とを含むものである。なお、腹部領域の略中央を通る断面は被験者のへそを通る断面とすることができる。
【００８５】
はじめに、上記実施例１と同様の手法により、被検者Ｈの皮下脂肪領域比率の値Ｈｐ１、Ｈｐ３、および内臓脂肪領域比率の値Ｈｏ１、Ｈｏ３を求める。
【００８６】
上記皮下脂肪領域比率の値Ｈｐ１および内臓脂肪領域比率の値Ｈｏ１は、腹部領域の略中央を通り身長方向に対して直交する断面よりも頭部側の断面を示す断面画像について求められた値である。また、皮下脂肪領域比率の値Ｈｐ３および内臓脂肪領域比率の値Ｈｏ３は、腹部領域の略中央を通り身長方向に対して直交する断面よりも脚部側の断面を示す断面画像について求められた値である。
【００８７】
以下、上記被検者Ｈの皮下脂肪領域比率の値Ｈｐ１、Ｈｐ３、および内臓脂肪領域比率の値Ｈｏ１、Ｈｏ３に対応する予め定めておいた人体モデルＭについての皮下脂肪領域比率の値Ｍｐ１、Ｍｐ３、および内臓脂肪領域比率の値Ｍｏ１、Ｍｏ３とを比較して被験者Ｈの肥満の状態を示す指標を得る場合について説明する。
【００８８】
上記指標は、例えば、レベル３：要注意、レベル２：注意、レベル１：正常の３段階に分類されている。このレベル１〜３の指標は、被検者Ｈについての皮下脂肪領域比率の値Ｈｐ１、Ｈｐ３、および内臓脂肪領域比率の値Ｈｏ１、Ｈｏ３と人体モデルＭについての皮下脂肪領域比率の値Ｍｐ１、Ｍｐ３、および内臓脂肪領域比率の値Ｍｏ１、Ｍｏ３とを比較した結果に対応付けられている。
【００８９】
上記被検者Ｈについての上記値Ｈｐ１、Ｈｐ３、Ｈｏ１、Ｈｏ３と、人体モデルＭについての上記値Ｍｐ１、Ｍｐ３、Ｍｏ１、Ｍｏ３とを比較した結果である両脂肪比較結果値Ｊｏｐは、以下のようにして得ることができる。
【００９０】
すなわち、被験者Ｈについての各値Ｈｐ１、Ｈｐ３、Ｈｏ１、Ｈｏ３それぞれを人体モデルＭについての各値Ｍｐ１、Ｍｐ３、Ｍｏ１、Ｍｏ３それぞれで除算して両脂肪比較結果を示す値Ｊｐ１、Ｊｐ３、Ｊｏ１、Ｊｏ３を得る。
【００９１】
この両脂肪比較結果を示す各値Ｊｐ１、Ｊｐ３、Ｊｏ１、Ｊｏ３は、Ｊｐ１＝Ｈｐ１／Ｍｐ１、Ｊｐ３＝Ｈｐ３／Ｍｐ３、Ｊｏ１＝Ｈｏ１／Ｍｏ１、Ｊｏ３＝Ｈｏ３／Ｍｏ３の各式で表されるものである。なお、両脂肪比較結果の値が１の場合には、被験者Ｈと人体モデルＭとで比率が一致していることを表しており、この値が大きいほど腹部領域Ｈｂ中に占める内臓脂肪領域Ｆｏあるいは皮下脂肪領域Ｆｐの割合が大きいことを表している。
【００９２】
ここで、両脂肪比較結果値Ｊｐ１、Ｊｐ３、Ｊｏ１、Ｊｏ３と指標であるレベル１〜３とは、例えば以下のように対応付けられている。
【００９３】
レベル１（正常）の指標は、Ｊｐ１、Ｊｐ３、Ｊｏ１、Ｊｏ３のいずれの値も０．６を超え１．５以下の範囲に含まれる場合に対応している。
【００９４】
レベル２（注意）の指標は、Ｊｐ１、Ｊｐ３、Ｊｏ１、Ｊｏ３のいずれの値も０．２を超え０．６未満の範囲、または１．５を超え２．５以下の範囲に含まれる場合に対応している。
【００９５】
レベル３（要注意）の指標は、Ｊｐ１、Ｊｐ３、Ｊｏ１、Ｊｏ３のいずれの値も０．２未満の範囲、または２．５を超える範囲に含まれる場合に対応している。
【００９６】
したがって、被検者Ｈと人体モデルＭについての、内臓脂肪領域比率および皮下脂肪領域比率の比較により得た両脂肪比較結果値と、この両脂肪比較結果値と上記指標との対応関係とから、被験者の肥満の状態を示す指標を得ることができる。
【００９７】
例えば、被験者Ｈについて両脂肪結果比較値Ｊｐ１、Ｊｐ３、Ｊｏ１、Ｊｏ３のいずれの値も０．７のときには、その指標はレベル１（正常）となる。
【００９８】
なお、断面画像を、複数回に亘って時系列的に取得されるものとし、指標を、肥満の状態の経時変化を示すものとしてもよい。以下、複数回に亘って時系列的に取得された断面画像を用いて診断指標を取得する場合について説明する。
【００９９】
被験者の腹部領域中の２つ以上の断面を示す断面画像を複数回に亘って時系列的に、すなわち、日付ｔ１、日付ｔ２、日付ｔ３・・・の順に取得する。そして、各日付ｔ１、ｔ２、ｔ３・・・毎の断面画像について、上記実施例１〜４いずれかの手法により時系列的な指標を求める。ここで、日付ｔ１の指標をレベル２、日付ｔ２の指標をレベル２、日付ｔ３の指標をレベル１、日付ｔ４の指標をレベル２・・・とする。このようにして時系列的な指標（ｔ１：レベル２、ｔ２：レベル２、ｔ３：レベル１、ｔ４：レベル２・・・）を得る。このようにして求められた時系列的な指標と、予め定められた時系列指標の範囲との比較により、肥満の状態の経時変化を示す時系列的な診断指標を得ることができる。例えば、この診断指標としては、カテゴリーＸ１：体脂肪量減少中、カテゴリーＸ２：体脂肪量変動なし、カテゴリーＸ３：体脂肪量増加中等としたり、あるいはカテゴリーＹ１：内臓脂肪量増加中、カテゴリーＹ２：皮下脂肪量減少中等とすることができる。
【０１００】
また、上記腹部領域中の断面画像は、被検者の身長方向（背骨の伸びる方向）に対して直交する断面とすることが望ましいが、必ずしもそのような場合に限らず、被検者の身長方向に対して傾斜した断面を示す画像であってもよい。
【０１０１】
また、被検者の腹部領域は、肝臓上部辺縁、横隔膜下部、脊椎の椎間のうちのいずれかを通る被検者の身長方向に対して直交する断面と、腸骨上部、腸骨下部、仙骨下部のうちのいずれかを通る被検者の身長方向に対して直交する断面との間の領域とすることができる。
【図面の簡単な説明】
【０１０２】
【図１】本発明の実施の形態の診断指標取得方法による被験者および人体モデルにおける断面画像の取得位置を示す図
【図２】腹部領域中の互に異なる断面における各断面画像を示す図
【図３】断面画像に基づいて被験者の肥満の状態を示す診断指標を得るまでのフローチャートの前半を示す図
【図４】断面画像に基づいて被験者の肥満の状態を示す診断指標を得るまでのフローチャートの後半を示す図
【図５】被験者の内臓脂肪領域の大きさからこの被験者の肥満の状態を示す診断指標を得る実施例２のフローチャートを示す図
【図６】被験者の皮下脂肪領域の大きさからこの被験者の肥満の状態を示す診断指標を得る実施例３のフローチャートを示す図
【図７】被験者の皮下脂肪領域および内臓脂肪領域の大きさからこの被験者の肥満の状態を示す診断指標を得る実施例４のフローチャートを示す図
【符号の説明】
【０１０３】
Ｈ    被験者
Ｈｂ    腹部領域
Ｇ１、Ｇ２、Ｇ３    断面画像
Ｆｓ    皮下脂肪領域
Ｆｏ    内臓脂肪領域
Ｍ    人体モデル
【図１】
0004625055.tif 000002
【図２】
0004625055.tif 000003
【図３】
0004625055.tif 000004
【図４】
0004625055.tif 000005
【図５】
0004625055.tif 000006
【図６】
0004625055.tif 000007
【図７】
0004625055.tif 000008